(57)【要約】【課題】ユーザ（開発者）が要望する性能評価用ディスクを簡単に作成することができる光ディスク記録装置を提供する。【解決手段】光ディスク記録装置２は、光ディスク４に情報を書き込むための書き込み手段１３と、評価用ディスクを作成する際の設定条件を入力するための入力手段２０と、複数の項目から成る前記設定条件について、条件入力用の入力画面を用いて好みの項目を選択して条件の入力が行えるように、前記入力画面に関する処理を行う入力画面処理手段１９と、入力手段２０によって入力された設定条件にしたがって、書き込み手段１３を制御する書き込み制御手段２２と、を備える【選択図】図１
2009134811.tif 000002
【特許請求の範囲】
【請求項１】
光ディスクに情報を書き込むための書き込み手段を有して、書き込み可能な光ディスクに情報の記録を行う光ディスク記録装置であって、
評価用ディスクを作成する際の設定条件を入力するための入力手段と、
複数の項目から成る前記設定条件について、条件入力用の入力画面を用いて好みの項目を選択して条件の入力が行えるように、前記入力画面に関する処理を行う入力画面処理手段と、
前記入力手段によって入力された設定条件にしたがって、前記書き込み手段を制御する書き込み制御手段と、
を備えることを特徴とする光ディスク記録装置。
【請求項２】
前記複数の項目には、未記録領域及び読み取り不能領域のうち、少なくとも一方を好みの領域に形成するように設定する項目が含まれることを特徴とする請求項１に記載の光ディスク記録装置。
【請求項３】
前記光ディスクは、欠陥領域に関する情報を書き込むための欠陥管理領域を備え、
前記複数の項目には、好みの領域に欠陥領域を形成し、該欠陥領域に書き込む予定の情報を所定の代替領域に書き込む欠陥管理処理を行うように設定する項目が含まれることを特徴とする請求項１又は２に記載の光ディスク記録装置。
【請求項４】
前記複数の項目には、情報の記録容量が好みの容量となるように設定する項目が含まれることを特徴とする請求項１から３のいずれかに記載の光ディスク記録装置。
【請求項５】
前記複数の項目には、前記光ディスクに作成するセッション数及びトラック数が好みの数となるように設定する項目が含まれることを特徴とする請求項１から４のいずれかに記載の光ディスク記録装置。
【請求項６】
前記光ディスクは、情報を記録するための記録層を複数有し、
前記複数の項目には、情報の書き込み時における前記記録層の切り替え位置が好みの位置となるように設定する項目が含まれることを特徴とする請求項１から５のいずれかに記載の光ディスク記録装置。
【請求項７】
前記複数の項目には、前記書き込み手段によって書き込まれる情報のコピーガードに関する条件を設定する項目が含まれることを特徴とする請求項１から６のいずれかに記載の光ディスク記録装置。
【請求項８】
請求項１から７のいずれかに記載の光ディスク記録装置と、
前記光ディスク記録装置と接続されて、前記入力画面処理手段から出力される信号に基づいて前記入力画面の表示を行う表示装置と、
を備えることを特徴とする評価用ディスク作成システム。
【発明の詳細な説明】
【技術分野】
【０００１】
本発明は、書き込み可能な光ディスクに情報の記録を行える光ディスク記録装置に関し、詳細にはそのような装置を用いて評価用ディスクを作成する構成に関する。また、本発明は、そのような光ディスク記録装置を用いた評価用ディスク作成システムに関する。
【背景技術】
【０００２】
近年、情報を記録する記録媒体として、コンパクトディスク（ＣＤ）やデジタル多用途ディスク（ＤＶＤ）といった光ディスクが普及している。また、更に大容量の情報を記録できる光ディスクとしてブルーレイディスク（ＢＤ）も実用化されている。このような光ディスクに記録される情報の再生は光ディスク装置によって行われ、近年、光ディスク装置の開発が盛んに行われている。
【０００３】
光ディスク装置の開発を行うにあたっては、その再生性能を評価するために評価用ディスクを用いるのが一般的である。この評価用ディスクは、光ディスク装置の開発を行うユーザ（開発者）においては、簡単に作成することができないために、市販の評価用ディスクを購入し、それを用いて光ディスク装置の再生性能の評価を行うのが一般的である。
【０００４】
しかし、市販の評価用ディスクは高価である。また、市販の評価用ディスクは、その種類も限られており、ユーザが試して見たい条件で作成された評価用ディスクを市場から入手するのは困難である。このために、好みの条件で作成された評価用ディスクを用いて光ディスク装置の再生性能の評価を行いたいユーザは、結局は評価用ディスクを自己で作成せざるを得ない。
【０００５】
例えば、ユーザは、好みの評価用ディスクを作成するために、入手可能な光ディスクの加工（例えば、記録不可能な領域を作成するために、ディスク表面をペン等で塗りつぶす等）を行うことがあった。また、他の例として、好みの評価用ディスクを作成するために長時間を費やして、それぞれが異なる情報量を有する多種のデータを準備することもあった。
【０００６】
しかし、これらの作業は、試行錯誤が必要な場合があり、行った作業が無駄に終わる場合もあった。このように、従来においては、光ディスク装置の性能を向上するために、ユーザが好みの評価用ディスクを使用して開発を進めようとすると、開発の作業効率の悪化を招く場合が多く、ユーザにとって改善が望まれていた。
【０００７】
なお、特許文献１に、適切なテストディスク（評価用ディスクに同じ）を容易に作成できるテストディスク作成装置及び方法が紹介されている。しかし、特許文献１のテストディスク作成装置及び方法は、情報記録装置の記録性能の違いやディスク自体の特性誤差に基づいて発生する様々な記録特性を有するディスクに対応するための評価用ディスクである。このため、特許文献１に紹介されるテストディスク作成装置及び方法は、光ディスク装置の開発に使用することを目的として、ユーザの好みの条件を満たす様々な種類の評価用ディスクを作成できる装置及び方法ではない。
【特許文献１】特開２００３−１９６８３５号公報
【発明の開示】
【発明が解決しようとする課題】
【０００８】
以上の点に鑑み、本発明の目的は、ユーザ（開発者）が要望する性能評価用ディスクを簡単に作成することができる光ディスク記録装置を提供することである。また、本発明の他の目的は、そのような光ディスク記録装置を用いることによって、ユーザ（開発者）が要望する性能評価用ディスクを簡単に作成することができる評価用ディスク作成システムを提供することである。
【課題を解決するための手段】
【０００９】
上記目的を達成するために本発明は、光ディスクに情報を書き込むための書き込み手段を有して、書き込み可能な光ディスクに情報の記録を行う光ディスク記録装置であって、評価用ディスクを作成する際の設定条件を入力するための入力手段と、複数の項目から成る前記設定条件について、条件入力用の入力画面を用いて好みの項目を選択して条件の入力が行えるように、前記入力画面に関する処理を行う入力画面処理手段と、前記入力手段によって入力された設定条件にしたがって、前記書き込み手段を制御する書き込み制御手段と、を備えることを特徴としている。
【００１０】
これによれば、ユーザ（開発者）は、入力画面にしたがって条件を入力するだけで、自己の要望する評価用ディスクを簡単に作成することが可能となる。このために、ユーザは、評価用光ディスクのバリエーションを容易に増やすことができ、光ディスクを再生するための装置の開発効率を上げることが可能となる。また、本発明の光ディスク記録装置は、例えば、従来から存在する光ディスクレコーダ（ＤＶＤレコーダ、ＢＤレコーダ等）に、評価用ディスク作成用の機能を付加することによって得ることが可能である。
【００１１】
また、本発明は、上記構成の光ディスクスク記録装置において、前記複数の項目には、未記録領域及び読み取り不能領域のうち、少なくとも一方を好みの領域に形成するように設定する項目が含まれることとしてもよい。これにより、ユーザは、未記録領域や読み取り不能領域の位置を自己の好みで作成した評価用ディスクを入手できる。そして、これらの領域に関する性能評価は開発段階でしばしば必要となる。このために、本発明によれば、評価のバリエーションを増やして、開発効率を高めることが可能となる。
【００１２】
また、本発明は、上記構成の光ディスク記録装置において、前記光ディスクは、欠陥領域に関する情報を書き込むための欠陥管理領域を備え、前記複数の項目には、好みの領域に欠陥領域を形成し、該欠陥領域に書き込む予定の情報を所定の代替領域に書き込む欠陥管理処理を行うように設定する項目が含まれることとしてもよい。これによれば、欠陥管理処理（デフェクトマネージメント）を行える光ディスクについて、ユーザは、欠陥領域及び代替領域が既知であって、且つ、好みに領域に形成された評価用ディスクを入手できる。そして、デフェクトマネージメントに関する知見は開発時にしばしば必要となる。このために、本発明によれば、評価のバリエーションを増やして、開発効率も高めることが可能となる。
【００１３】
また、本発明は、上記構成の光ディスク記録装置において、前記複数の項目には、情報の記録容量が好みの容量となるように設定する項目が含まれることとしてもよい。光ディスクに記録する情報の量については、従来は、異なった情報量を持つデータを複数準備する必要があったが、本発明によれば、そのような準備は不要とできる。したがって、評価用ディスクの作成時の作業効率を高められる。
【００１４】
また、本発明は、上記構成の光ディスク記録装置において、前記複数の項目には、前記光ディスクに作成するセッション数及びトラック数が好みの数となるように設定する項目が含まれることとしてもよい。従来においては、例えば、マルチセッションの評価用ディスクを作成しようとすると、ユーザは、そのセッション数だけ繰り返しの作業を行う必要があった。このため、ユーザが多数のセッション数を有する光ディスクを作成しようとすると、その作業時間が膨大となり作業効率が低下した。この点、本発明によれば、自動でマルチセッションや複数のトラックから成る評価用ディスクを作成することができ、作業効率を高められる。
【００１５】
また、本発明は、上記構成の光ディスク記録装置において、前記光ディスクは、情報を記録するための記録層を複数有し、前記複数の項目には、情報の書き込み時における前記記録層の切り替え位置が好みの位置となるように設定する項目が含まれることとしてもよい。これによれば、多層光ディスクの評価用ディスクを作成する際に、レイヤの切り替え位置を好みで変更することができ、評価のバリエーションを増やせる。
【００１６】
また、本発明は、上記構成の光ディスク記録装置において、前記複数の項目には、前記書き込み手段によって書き込まれる情報のコピーガードに関する条件を設定する項目が含まれることとしてもよい。これによれば、著作権対策用にコピーガードされた評価用ディスクも作成できて、開発の幅が広がる。
【００１７】
また、上記目的を達成するために本発明の評価用ディスク作成システムは、上記構成の光ディスク記録装置と、前記光ディスク記録装置と接続されて、前記入力画面処理手段から出力される信号に基づいて前記入力画面の表示を行う表示装置と、を備えることを特徴としている。
【００１８】
これによれば、表示装置に入力画面を表示する構成であり、評価用ディスクを作成する際の条件設定を行い易い。そして、ユーザ（開発者）は、入力画面にしたがって条件を入力するだけで、自己の要望する評価用ディスクを簡単に作成することが可能となる。
【発明の効果】
【００１９】
本発明によれば、ユーザ（開発者）が要望する性能評価用ディスクを簡単に作成することができる光ディスク記録装置を提供できる。また、本発明によれば、そのような光ディスク記録装置を用いて、ユーザ（開発者）が要望する性能評価用ディスクを簡単に作成することができる評価用ディスク作成システムを提供できる。
【発明を実施するための最良の形態】
【００２０】
以下、本発明の光ディスク記録装置及び評価用ディスク作成システムの実施形態について、図面を参照しながら説明する。
【００２１】
図１は、本実施形態の評価用ディスク作成システムの構成を示すブロック図である。本実施形態の評価用ディスク作成システム１は、大きくは、光ディスク記録装置２と、モニタ３と、から成る。以下、光ディスク記録装置２とモニタ３の構成について、順に説明する。
【００２２】
光ディスク記録装置２は、スピンドルモータ１１と、スピンドルモータ駆動部１２と、光ピックアップ１３と、エンコーダ１４と、レーザ駆動部１５と、信号処理部１６と、サーボ制御部１７と、ドライバ１８と、ＯＳＤ表示処理部１９と、入力部２０と、記憶部２１と、全体制御部２２と、を備える。
【００２３】
本実施形態の光ディスク記録装置２は、ＤＶＤ−Ｒ／ＲＷ、ＤＶＤ＋Ｒ／ＲＷ、ＤＶＤ−ＲＡＭ及びＢＤ−Ｒ／ＲＥといった書き込み可能な光ディスク４に情報の書き込みを行うことができ、これらの光ディスク４の評価用ディスクを作成できるように構成されている。なお、本実施形態の光ディスク記録装置２は、評価用ディスクを作成するための使用以外に、通常行われる光ディスクへの情報記録を行える装置であっても構わない。また、再生機能を有する構成としても構わない。すなわち、光ディスク記録装置２は、光ディスクレコーダに、評価用ディスクを作成する機能を持たせた構成でもよい。
【００２４】
スピンドルモータ１１は、その出力軸が図示しないターンテーブルに連結される。そして、ターンテーブルは円盤状に形成される光ディスク４を着脱可能に保持できるようになっている。このために、スピンドルモータ１１を回転することにより光ディスク４を回転することが可能となっている。
【００２５】
なお、スピンドルモータ１１は、スピンドルモータ駆動部１２と接続されている。スピンドルモータ１１の駆動制御は、全体制御部２２の管理下において、スピンドルモータ駆動部１２によって行われる。
【００２６】
光ピックアップ１３は、所定の波長のレーザ光を出射する光源（半導体レーザからなる）と、光源から出射されたレーザ光を光ディスク４の記録層に集光する対物レンズと、光ディスク４で反射されたレーザ光を受光して光電変換を行うフォトディテクタ（いずれも図示せず）と、を備える。また、光ピックアップ１３は、図示しない移動手段によって、光ディスク４の半径方向に対して平行な方向（図１では、左右方向が該当）に移動できるようになっている。
【００２７】
このために、スピンドルモータ１１によって光ディスク４を回転させて、光ピックアップ１３の位置を適宜移動させることにより、光ピックアップ１３から出射されるレーザ光のスポット位置を、光ディスク４の記録可能領域の全域に移動できる。したがって、光ピックアップ１３によれば、光ディスク４の記録可能領域の全てに情報を記録することが可能となる。
【００２８】
なお、上述のように、本実施形態の光ディスク記録装置２は、ＤＶＤ系とＢＤ系のディスクについて評価用ディスクを作成可能となっている。このために、光源から出射されるレーザ光の波長は、それらに対応する波長のレーザ光とする必要があり、光源は２種類の波長（例えば４０５ｎｍと６５０ｎｍ）のレーザ光を切り替えて出射できるようになっている。
【００２９】
また、光ピックアップ１３が備える対物レンズは、光軸方向に対して平行な方向（図１の上下方向）であるフォーカス方向と、光ディスク４の半径方向に対して平行な方向（図１の左右方向）であるトラッキング方向と、に対物レンズアクチュエータによって移動可能とされる。これは、対物レンズの焦点位置が常に光ディスク４の記録層に合うように制御するフォーカス制御と、対物レンズによって集光されたビームスポットの位置が常に光ディスク４に形成されるトラックに追随するように制御するトラッキング制御と、を行えるようにするためである。
【００３０】
また、光ピックアップ１３を移動させる移動手段は、例えば固定部分に配置されるスライドモータと、スライドモータの回転によって回転されるピニオンと、光ピックアップ１３本体に取り付けられるラックと、で構成される。これにより、ラックとピニオンの関係を利用して、光ピックアップ１３は移動可能となっている。
【００３１】
エンコーダ１４は、入力された情報について、所定の方式で符号化処理を行い、符号化された情報に基づいて記録パルスを作成し、記録パルスをレーザ駆動部１５に出力する。レーザ駆動部１５は、エンコーダ１４から出力される記録パルスにしたがって、半導体レーザ（光源）を発振させる。また、レーザ駆動部１５は、光ディスク４の種類によって、光源から出射されるレーザ光の波長を切り替える機能も有する。
【００３２】
信号処理部１６は、複数の領域に分割されるフォトディテクタ（上述のように光ピックアップ１３に備えられる）から出力される電気信号を演算処理し、フォーカスエラー信号、トラッキングエラー信号、ウォブル信号などを生成する。これらの信号は、サーボ制御部１７に送られる。
【００３３】
サーボ制御部１７は、信号処理部１６から送られてきたフォーカスエラー信号及びトラッキングエラー信号を用いて、ドライバ１８を介してフォーカス制御及びトラッキング制御を行う。また、サーボ制御部１７は、ドライバ１８を介して光ピックアップ１３の半径方向の移動についても制御する。なお、サーボ制御部１７は、ウォブル中にアドレス信号が含まれている場合には、アドレス生成を行う機能も有する。
【００３４】
ドライバ１８は、上述の光ピックアップ１３を移動させる移動手段と対物レンズアクチュエータとを、サーボ制御部１８からの指令にしたがって駆動させる回路である。
【００３５】
ＯＳＤ表示処理部１９は、評価用ディスクを作成する際の条件について、条件入力用の入力画面に表示される複数の項目の中からユーザ（開発者）の好みで項目を自由に選択して条件設定できるように、入力画面に関する信号の処理を行う。
【００３６】
具体的には、条件入力用の入力画面に関する情報として予め記憶部２１に記憶されている情報を信号として読み出し、モニタ３によるＯＳＤ（オンスクリーンディスプレイ）表示を可能とすべく、読み出した信号をモニタ３に出力する。また、入力部２０から入力された情報を処理してＯＳＤ表示に反映させる（例えば、入力された数字をモニタ３に表示したり、選択された項目をハイライトしたりする）。
【００３７】
入力部２０は、ユーザが光ディスク記録装置２に対する指示を入力するために設けられ、例えば、複数の入力ボタンやキーボード等から成る。また、入力部２０の他の形態として、リモートコントローラを用いてユーザの指示を入力できる構成であっても構わない。
【００３８】
記憶部２１は、評価用ディスクを作成する際に、光ディスクに記録するための映像データや、評価用ディスクを作成する際の条件を入力するための入力画面に関する情報等を記憶している。このような記憶部２１として、例えば、内蔵型のハードディスク等が挙げられる。
【００３９】
全体制御部２２は、マイクロコンピュータを備えて、光ディスク記録装置２を構成する各部が実行すべき所要の動作に応じて適宜制御処理を実行する。そして、本実施形態の光ディスク記録装置２においては、全体制御部２２は、入力部２０から入力された条件にしたがって光ピックアップ１３による書き込みを制御する役割も果たす。
【００４０】
また、モニタ３は、本実施形態においてはＯＳＤ表示処理部１９と接続されており、ＯＳＤ表示処理部１９から出力される信号にしたがって、評価用ディスクを作成する際に設定条件を入力するための入力画面を表示させる。
【００４１】
本実施形態の評価用ディスク作成システム１の全体構成は以上のようであるが、次に、この評価用ディスク作成システム１を用いて評価用ディスクを作成する場合の手順について説明する。
【００４２】
図２は、本実施形態の評価用ディスク作成システム１を用いて評価用ディスクを作成する場合の手順を示すフローチャートである。光ディスク記録装置２の全体制御部２２に、ユーザから評価用ディスクを作成するように指示が出されると、ＯＳＤ表示処理部１９は、記憶部２１に記憶される入力画面データ（評価用ディスクを作成するための条件を入力するための入力画面データ）を読み出し、モニタ３にＯＳＤ表示させる（ステップＳ１）。
【００４３】
モニタ３にＯＳＤ表示される入力画面は、メイン画面と複数のサブ画面とで構成されている。そして、ユーザは複数の項目の中から好みにしたがって条件設定を行う項目を選択でき、選択した項目について条件設定を行えるようになっている。以下、ユーザが条件設定を行える各項目について、図３から図８を参照しながら詳細に説明する。
【００４４】
図３は、ＯＳＤ表示される入力画面のうち、メイン画面の構成を示す概略図である。図３に示すように、本実施形態のメイン画面においては、「ディスク記録状況」、「ディスク容量／レイヤ切替」、「セッション数／トラック数」、「コピーガード」といった４つの項目が示される。そして、これら４つの項目の中から、ユーザが条件設定したい項目を選択（各項目の左にある「設定」を押す）して、詳細な条件設定を行えるようになっている。
【００４５】
なお、条件設定を止める場合には、「キャンセル」を選択するようになっており、最終的に条件が決定した場合には、「作成」を選択すれば評価用ディスクを作成する条件が決定されるようになっている。
【００４６】
次に、メイン画面で「ディスク記録状況」を選択した場合について説明する。図４は、メイン画面で「ディスク記録状況」を選択した場合に表示される第１サブ画面、及びその第１サブ画面で更に項目の選択を行った場合に表示される第２サブ画面の構成を示す概略図である。「ディスク記録状況」を選択した場合、図４に示すように、Ａ：「指定領域に対してデフェクトマネージメントが適用されている」、Ｂ：「指定領域に未記録が存在する」、Ｃ：「指定領域にリードできない領域が存在する」、といった３つの記録状況を選択できるようになっている。これら全てについて条件設定を行ってもよいし、いずれか１つ或いは２つについて条件設定を行ってもよい。以下、この３つ（Ａ〜Ｃ）について、条件設定の詳細を説明する。
【００４７】
なお、「ディスク記録状況」に関する条件設定を止める場合には、「キャンセル」を選択するようになっており、「ディスク記録状況」に関する条件設定が完了の場合には、「ＯＫ」を選択するようになっている。そして、これらが選択されるとメイン画面に戻るようになっている。
【００４８】
まず、Ａ：「指定領域に対してデフェクトマネージメントが適用されている」を選択した場合について説明する。ここでデフェクトマネージメント（欠陥管理処理）とは、光ディスク４に欠陥領域が有った場合に、欠陥領域に書き込む予定の情報について、代替領域として確保されているスペアエリアに書き込む処理のことである。ただし、デフェクトマネージメントが適用されるのは、ディスクがＤＶＤ−ＲＡＭ、ＢＤ−Ｒ、及びＢＤ−ＲＥの場合のみである。このため、その他の光ディスク４を用いて評価用ディスクを作成する場合には、この条件設定は行わない。
【００４９】
項目Ａが選択された場合、第２サブ画面で、欠陥領域の先頭位置のアドレス（欠陥アドレス）と、その長さを入力する。欠陥領域については、１つでもよいし、複数作成するようにしてもよい。欠陥領域として指定された領域については、情報の書き込み時（評価用ディスクを作成するための書き込み時）において、特に情報が書き込まれず、光ディスク４の欠陥管理領域（ＤＭＡ）に、欠陥領域に関する情報が書き込まれる。また、欠陥領域に書き込まれる予定であった情報はスペアエリアに書き込まれる。
【００５０】
なお、項目Ａに関する条件設定を止める場合には、「キャンセル」を選択するようになっており、項目Ａに関する条件設定が完了の場合には、「ＯＫ」を選択するようになっている。そして、これらが選択されると、第１サブ画面に戻るようになっている。これは、後述の項目Ｂ、Ｃにおいても同様であるので、項目Ｂ、Ｃの説明においては、その説明を省略する。
【００５１】
また、本実施形態においては、この項目Ａの条件設定を行う画面において、記録モードの設定に関して選択可能となっている。図５は、記録モードの詳細設定を行うために表示される画面（第２サブ画面のサブ画面であるために、図５では第３サブ画面としている）の構成を示した概略図である。図５に示すように、記録モードに関する選択は、ＳＲＭ−ＰＯＷ、ＳＲＭ＋ＰＯＷ、ＲＲＭ−ＰＯＷ、ＲＲＭ＋ＰＯＷの４つから１つを選択できるようになっている。ここで、ＳＲＭは、Sequential Recording Modeの略で、ＲＲＭは、Random Recording Modeの略で、ＰＯＷ（擬似上書きモード）は、Pseudo Over Writeの略である。ただし、ここで記憶モードを選択するのは、記録モードを複数有するＢＤ−Ｒの場合だけであり、他の光ディスク４について評価用ディスクを選択する場合には、この条件設定は行わない。また、本実施形態では、項目Ａの条件設定を行う画面で記録モードの詳細設定の選択を行う構成となっているが、他の画面で記録モードの詳細設定の選択を行えるようにしても勿論構わない。
【００５２】
図４に戻って、Ｂ：「指定領域に未記録が存在する」を選択した場合について説明する。この項目Ｂが選択された場合、図４に示すように、第２サブ画面で、未記録領域の先頭位置のアドレス（未記録アドレス）と、その長さを入力する。未記録領域については、１つでもよいし、複数作成するようにしてもよい。ここで未記録領域として指定された領域については、評価用ディスク作成時に、情報の書き込みが意図的に行われない。
【００５３】
次に、Ｃ：「指定領域にリードできない領域が存在する」を選択した場合について説明する。ここで、リードできないとはエラー訂正を行うこともできず、情報の読み取りが全くできない読み取り不能領域のことを指している。この項目Ｃが選択された場合、図４に示すように、第２サブ画面で、読み取り不能領域の先頭位置のアドレス（エラーアドレス）と、その長さを入力する。ここで読み取り不能領域として指定された領域については、評価用ディスク作成時に、意図的にリードできない情報が書き込まれる。リードできない情報を書き込む方法としては、フォーカス制御やトラッキング制御といったサーボ制御を意図的に不安定としたり、記録時のレーザパワーを通常より高いパワーとしたりすることによって実現される。
【００５４】
図３のメイン画面で「ディスク容量／レイヤ切替」を選択した場合について説明する。図６は、メイン画面で「ディスク容量／レイヤ切替」を選択した場合に表示されるサブ画面の構成を示す概略図である。図６に示されるように、「ディスク容量／レイヤ切替」を選択した場合、ユーザの要望にしたがって、光ディスク４に記録する情報の容量と、レイヤの切り替わりの位置について条件設定を行える。
【００５５】
なお、本実施形態においては、ユーザは、記録する容量について、アドレス指定とＢｙｔｅ指定とのいずれか一方を選択することができるようになっている。ここで、アドレス指定の場合は、情報が記録される最終位置のアドレスを指定することになり、指定のアドレス位置になると書き込みを終了する。一方、ｂｙｔｅ指定の場合には、指定されたｂｙｔｅ分だけ情報を記録することになる。当然ながら、ディスク容量について、アドレス指定とｂｙｔｅ指定とのうち、いずれか一方でのみを指定する構成としても構わない。
【００５６】
また、本実施形態においては、ユーザは、レイヤの切り替え位置について、アドレス指定とｂｙｔｅ指定とのいずれか一方を選択できるようになっている。アドレス指定の場合には、指定のアドレス位置でレイヤを切り替え、ｂｙｔｅ指定の場合は、指定のｂｙｔｅ量の情報の書き込みが終了した時点でレイヤの切り替えを行う。当然ながら、レイヤ切り替えの位置について、アドレス指定とｂｙｔｅ指定のうち、いずれか一方でのみ指定する構成としても構わない。また、本実施形態では、レイヤ切り替えの選択は、デュアルレイヤ（ＤＬ、２層ディスク）の場合のみ可能な構成としている。しかし、これに限らず、記録層の数が２層以上の場合に対応する構成としても勿論構わない。
【００５７】
また、本実施形態においては、ディスク容量とレイヤ切り替えの条件設定について、同一のサブ画面で行う構成としているが、別々のサブ画面で行うようにしても構わない。また、「ディスク容量／レイヤ切替」に関する条件設定を止める場合には、「キャンセル」を選択するようになっており、「ディスク容量／レイヤ切替」に関する条件設定が完了の場合には、「ＯＫ」を選択するようになっている。そして、これらが選択されるとメイン画面に戻るようになっている。
【００５８】
次に、図３のメイン画面で「セッション数／トラック数」を選択した場合について説明する。図７は、メイン画面で「セッション数／トラック数」を選択した場合に表示されるサブ画面の構成を示す概略図である。図７に示されるように、「セッション数／トラック数」を選択した場合、ユーザの要望にしたがって、セッション数及びトラック数について条件設定することができる。マルチセッションディスクや複数のトラックが存在するディスクを作成する条件が選ばれると、評価用ディスク作成の際に、所望のセッション数やトラック数となるように、書き込みが自動的に繰り返される。したがって、ユーザの作業負担を低減して、セッション数やトラック数を非常に大きい数とした評価用ディスクを作成することも可能となる。
【００５９】
なお、本実施形態においては、セッション数及びトラック数のデフォルト値はともに１としている。また、「セッション数／トラック数」に関する条件設定を止める場合には、「キャンセル」を選択するようになっており、「セッション数／トラック数」に関する条件設定が完了の場合には、「ＯＫ」を選択するようになっている。そして、これらが選択されるとメイン画面に戻るようになっている。
【００６０】
次に、図３のメイン画面で「コピーガード」を選択した場合について説明する。図８は、メイン画面で「コピーガード」を選択した場合に表示されるサブ画面の構成を示す概略図である。図８に示されるように、「コピーガード」を選択した場合、光ディスク４に記録する情報について、コピーガードが施されたものとなるように条件設定を行える。
【００６１】
本実施形態においては、デフォルトの状態でコピーガードが施さない設定となっている。したがって、作成する評価用ディスクについてコピーガードを施したものとしたい場合には、「コピーガードする」を選択し、更にＤＶＤ系の評価ディスクを作成する場合であれば、ＣＰＲＭ（Content Protection for Recordable Media）方式を選択し、ＢＤ系の評価用ディスクを作成する場合であれば、ＡＡＣＳ（Advanced Access Content System）方式を選択する。
【００６２】
「コピーガードする」が選択されて評価用ディスクを作成する場合には、予めコピーガードが施された情報をハードディスク等から成る記憶部２１に記憶しておき、それを読み出して光ディスク４に記録することになる。
【００６３】
なお、この方法の場合には、ハードディスクから読み出したデータを記録できる回数が制限される場合がある。この点を考慮して、例えば、評価用ディスクを作成する際に使用する専用の記録情報を、予め光ディスク等の記録媒体に記憶しておく。そして、評価用ディスクを作成する際に、ＣＰＲＭ方式やＡＡＣＳ方式の暗号化が可能な外付けの暗号化装置を用いて、前述の記録媒体から読み出した専用の記録情報に暗号化を施し、この暗号化されたデータを光ディスク記録装置２に入力して光ディスク４に記録するように構成しても構わない。
【００６４】
なお、「コピーガード」に関する条件設定を止める場合には、「キャンセル」を選択するようになっており、「コピーガード」に関する条件設定が完了の場合には、「ＯＫ」を選択するようになっている。そして、これらが選択されるとメイン画面に戻るようになっている。
【００６５】
図２に戻って、以上の入力画面を用いて、ユーザは自分の開発目的に合わせて自由に設定項目を選択し、条件の入力を行う。そして、各設定条件についての入力が行われると、メイン画面（図３参照）に戻って、作成を選択する。これにより、条件設定の入力が完了する（ステップＳ２）。条件設定の入力が完了すると、全体制御部２２は、入力された条件にしたがって、上述した動作を実行すべく各部の動作を管理し、光ピックアップ１３を制御しながら光ディスク４に情報を書き込む（ステップＳ３）。これによって、評価用ディスクが作成される。
【００６６】
本実施形態の評価用ディスク作成システム１によれば、ユーザは自己の開発目的に合わせて自由に評価用ディスクを作成することができる。このため、ユーザは、色々なパターンのディスクの評価を簡単に行うことができ、光ディスクを再生するための装置の開発効率を高めることができる。
【００６７】
以上に示した実施形態は一例であり、本発明は上述の実施形態に限定されるものではなく、本発明の目的を逸脱しない範囲で種々の変更が可能である。
【００６８】
本実施形態においては、光ディスク記録装置２とモニタ３とを接続し、条件設定のための入力画面をモニタ３にＯＳＤ表示する構成とした。しかし、この構成の限定される趣旨ではない。すなわち、光ディスク記録装置２が有する表示パネルに、条件設定のための入力画面を表示する構成等としても構わない。この場合には、別途モニタ３を準備する必要がなくなる。
【００６９】
また、条件設定の項目については、本実施形態で示した構成に限定されるものではない。本実施形態に示した項目のいくつかを備えない構成であってもよいし、本実施形態では説明していない他の項目について条件設定できる構成としてもよい。
【００７０】
また、本実施形態においては、光ディスク記録装置２によって評価用ディスクが作成できる光ディスク４の種類について、ＤＶＤ−Ｒ／ＲＷ、ＤＶＤ＋Ｒ／ＲＷ、ＤＶＤ−ＲＡＭ及びＢＤ−Ｒ／ＲＥである構成とした。しかし、この構成に限定される趣旨ではなく、書き込みが可能な他の光ディスクに本発明を適用しても構わない。
【産業上の利用可能性】
【００７１】
本発明によれば、ユーザ（開発者）が要望する性能評価用ディスクを簡単に作成することができる。したがって、光ディスク装置の開発に便利であり、光ディスク装置の分野で有用である。
【図面の簡単な説明】
【００７２】
【図１】は、本実施形態の評価用ディスク作成システムの構成を示すブロック図である。
【図２】は、本実施形態の評価用ディスク作成システムを用いて評価用ディスクを作成する場合の手順を示すフローチャートである。
【図３】は、ＯＳＤ表示される入力画面のうち、メイン画面の構成を示す概略図である。
【図４】は、メイン画面で「ディスク記録状況」を選択した場合に表示される第１サブ画面、及びその第１サブ画面で更に項目の選択を行った場合に表示される第２サブ画面の構成を示す概略図である。
【図５】は、記録モードの詳細設定を行うために表示される画面の構成を示した概略図である。
【図６】は、メイン画面で「ディスク容量／レイヤ切替」を選択した場合に表示されるサブ画面の構成を示す概略図である。
【図７】は、メイン画面で「セッション数／トラック数」を選択した場合に表示されるサブ画面の構成を示す概略図である。
【図８】は、メイン画面で「コピーガード」を選択した場合に表示されるサブ画面の構成を示す概略図である。
【符号の説明】
【００７３】
１        評価用ディスク作成システム
２        光ディスク記録装置
３        モニタ（表示装置）
４        光ディスク
１３      光ピックアップ（書き込み手段）
１９      ＯＳＤ表示処理部（入力画面処理手段）
２０      入力部
２２      全体制御部（書き込み制御手段）
【図１】
2009134811.tif 000003
【図２】
2009134811.tif 000004
【図３】
2009134811.tif 000005
【図４】
2009134811.tif 000006
【図５】
2009134811.tif 000007
【図６】
2009134811.tif 000008
【図７】
2009134811.tif 000009
【図８】
2009134811.tif 000010